(57)【要約】      （修正有）【課題】反応性ホットメルト接着剤の硬化を防止するロールコータを提供する。【解決手段】塗布ロール４及びドクターロール５の一方側からの漏れを防ぐ一方側堰部材６と、塗布ロール４及びドクターロール５の他方側に当接して位置し、塗布ロール４及びドクターロール５の他方側からの漏れを防ぐ他方側堰部材７と、一方側堰部材６に対向し、塗布ロール４とドクターロール５に当接し、漏れを防ぐ移動自在な第１の堰部材８と、他方側堰部材７に対向し、塗布ロール４とドクターロール５に当接し、漏れを防ぐ移動自在な第２の堰部材９を備える。更に反応性ホットメルト接着剤３を洗浄する洗浄用ホットメルト２０を、塗布ロール４、ドクターロール５、第１の堰部材８、一方側堰部材８により形成される第１の洗浄用ホットメルト溜Ｂと、塗布ロール４、ドクターロール５、第２の堰部材９、他方側堰部材７により形成される第２の洗浄用ホットメルト溜Ｃとを備える。【選択図】図５
2006167537.tif 000002
【特許請求の範囲】
【請求項１】
板材に反応性ホットメルト接着剤を塗布する塗布ロールと、
この塗布ロールに並設するドクターロールと、
前記塗布ロール及び前記ドクターロールの一方側に当接して位置し、前記塗布ロール及び前記ドクターロールの一方側からの漏れを防ぐ一方側堰部材と、
前記塗布ロール及び前記ドクターロールの他方側に当接して位置し、前記塗布ロール及び前記ドクターロールの他方側からの漏れを防ぐ他方側堰部材と、
前記一方側堰部材に対向し、前記塗布ロールと前記ドクターロールに当接し、漏れを防ぐ移動自在な第１の堰部材と、
前記他方側堰部材に対向し、前記塗布ロールと前記ドクターロールに当接し、漏れを防ぐ移動自在な第２の堰部材と、
前記反応性ホットメルト接着剤は、前記塗布ロール、前記ドクターロール、前記第１の堰部材、前記第２の堰部材により形成される反応性ホットメルト接着剤溜に貯留され、
前記反応性ホットメルト接着剤を洗浄する洗浄用ホットメルトを、
前記塗布ロール、前記ドクターロール、前記第１の堰部材、前記一方側堰部材により形成される第１の洗浄用ホットメルト溜と、
前記塗布ロール、前記ドクターロール、前記第２の堰部材、前記他方側堰部材により形成される第２の洗浄用ホットメルト溜と、
にそれぞれ貯留される
ことを特徴とするロールコータ。
【請求項２】
板材に反応性ホットメルト接着剤を塗布する塗布ロールと、
この塗布ロールに並設するドクターロールと、
前記塗布ロール及び前記ドクターロールの一方側に当接して位置し、前記塗布ロール及び前記ドクターロールの一方側からの漏れを防ぐ一方側堰部材と、
前記塗布ロール及び前記ドクターロールの他方側に当接して位置し、前記塗布ロール及び前記ドクターロールの他方側からの漏れを防ぐ他方側堰部材と、
前記一方側堰部材に対向し、前記塗布ロールと前記ドクターロールに当接し、漏れを防ぐ移動自在な第１の堰部材と、
前記他方側堰部材に対向し、前記塗布ロールと前記ドクターロールに当接し、漏れを防ぐ移動自在な第２の堰部材と、
前記反応性ホットメルト接着剤は、前記塗布ロール、前記ドクターロール、前記第１の堰部材、前記第２の堰部材により形成される反応性ホットメルト接着剤溜に貯留され、
前記反応性ホットメルト接着剤を洗浄する洗浄用ホットメルトを、
前記塗布ロール、前記ドクターロール、前記第１の堰部材、前記一方側堰部材により形成される第１の洗浄用ホットメルト溜と、
前記塗布ロール、前記ドクターロール、前記第２の堰部材、前記他方側堰部材により形成される第２の洗浄用ホットメルト溜とにそれぞれ貯留され、
前記反応性ホットメルト接着剤溜より漏れ出る前記反応性ホットメルト接着剤が硬化しないようにする
ことを特徴とするロールコータの反応性ホットメルト接着剤の硬化防止方法。
【発明の詳細な説明】
【技術分野】
【０００１】
本発明は、ロールコータ及びロールコータの反応性ホットメルト接着剤の硬化防止方法に係り、特に、反応性ホットメルト接着剤溜より漏れ出る反応性ホットメルト接着剤の硬化を防止することができるロールコータ及びロールコータの反応性ホットメルト接着剤の硬化防止方法に関する。
【背景技術】
【０００２】
板材に接着剤を塗布するロールコータがある（例えば、特許文献１参照）。この種ロールコータにあっては、塗布ロールの全幅に対応した板材で、接着剤が水溶性の場合、支障がない。
【特許文献１】特開平９−２９０１９０号公報（図１）
【発明の開示】
【発明が解決しようとする課題】
【０００３】
しかしながら、塗布ロールの幅より狭い板材で、且つ、接着剤が空気に触れると接着剤中の成分が反応して硬化する反応性ホットメルト接着剤を使用する場合、次のような問題点が生じる。
即ち、塗布ロールの全幅に対して、幅が小さい板材に対応するように、例えば、塗布ロールとドクターロールに当接し、漏れを防ぐように塞き止め部材（堰部材）を対向させ、対向した塞き止め部材（堰部材）との間に反応性ホットメルト接着剤を貯留することが考えられる。
しかし、塗布ロール及びドクターロールは回転するため、シール性が不十分で、塞き止め部材（堰部材）により反応性ホットメルト接着剤の漏れを防ぐことは完全ではなく、板材に反応性ホットメルト接着剤を塗布している間、少しずつ、塞き止め部材（堰部材）より反応性ホットメルト接着剤が漏れると共に、該反応性ホットメルト接着剤が空気と反応し硬化し、その量が増大すると、ロールコータ使用後の反応性ホットメルト接着剤の洗浄に多大の時間を要した。
本発明は、上述した問題点を除去するようにしたロールコータ及びロールコータの反応性ホットメルト接着剤の硬化防止方法を提供するものである。
【課題を解決するための手段】
【０００４】
前記した目的を達成するための本発明のロールコータは、板材に反応性ホットメルト接着剤を塗布する塗布ロールと、 この塗布ロールに並設するドクターロールと、前記塗布ロール及び前記ドクターロールの一方側に当接して位置し、前記塗布ロール及び前記ドクターロールの一方側からの漏れを防ぐ一方側堰部材と、前記塗布ロール及び前記ドクターロールの他方側に当接して位置し、前記塗布ロール及び前記ドクターロールの他方側からの漏れを防ぐ他方側堰部材と、前記一方側堰部材に対向し、前記塗布ロールと前記ドクターロールに当接し、漏れを防ぐ移動自在な第１の堰部材と、前記他方側堰部材に対向し、前記塗布ロールと前記ドクターロールに当接し、漏れを防ぐ移動自在な第２の堰部材と、前記反応性ホットメルト接着剤は、前記塗布ロール、前記ドクターロール、前記第１の堰部材、前記第２の堰部材により形成される反応性ホットメルト接着剤溜に貯留され、前記反応性ホットメルト接着剤を洗浄する洗浄用ホットメルトを、前記塗布ロール、前記ドクターロール、前記第１の堰部材、前記一方側堰部材により形成される第１の洗浄用ホットメルト溜と、前記塗布ロール、前記ドクターロール、前記第２の堰部材、前記他方側堰部材により形成される第２の洗浄用ホットメルト溜と、にそれぞれ貯留されるものである。
【０００５】
また、請求項２記載のロールコータの反応性ホットメルト接着剤の硬化防止方法は、板材に反応性ホットメルト接着剤を塗布する塗布ロールと、この塗布ロールに並設するドクターロールと、前記塗布ロール及び前記ドクターロールの一方側に当接して位置し、前記塗布ロール及び前記ドクターロールの一方側からの漏れを防ぐ一方側堰部材と、 前記塗布ロール及び前記ドクターロールの他方側に当接して位置し、前記塗布ロール及び前記ドクターロールの他方側からの漏れを防ぐ他方側堰部材と、前記一方側堰部材に対向し、前記塗布ロールと前記ドクターロールに当接し、漏れを防ぐ移動自在な第１の堰部材と、前記他方側堰部材に対向し、前記塗布ロールと前記ドクターロールに当接し、漏れを防ぐ移動自在な第２の堰部材と、前記反応性ホットメルト接着剤は、前記塗布ロール、前記ドクターロール、前記第１の堰部材、前記第２の堰部材により形成される反応性ホットメルト接着剤溜に貯留され、前記反応性ホットメルト接着剤を洗浄する洗浄用ホットメルトを、前記塗布ロール、前記ドクターロール、前記第１の堰部材、前記一方側堰部材により形成される第１の洗浄用ホットメルト溜と、前記塗布ロール、前記ドクターロール、前記第２の堰部材、前記他方側堰部材により形成される第２の洗浄用ホットメルト溜とにそれぞれ貯留され、 前記反応性ホットメルト接着剤溜より漏れ出る前記反応性ホットメルト接着剤が硬化しないようにするものである。
【発明の効果】
【０００６】
請求項１記載のロールコータによれば、幅が狭い板材に応じて、第１の堰部材と第２の堰部材との間隔を狭めることができると共に、反応性ホットメルト接着剤を洗浄する洗浄用ホットメルトを第１の洗浄用ホットメルト溜と、第２の洗浄用ホットメルト溜と、にそれぞれ貯留しているため、反応性ホットメルト接着剤溜より漏れ出る反応性ホットメルト接着剤の硬化を防止して、ロールコータ使用後の反応性ホットメルト接着剤の洗浄に要する手間を軽減することができる。
【０００７】
また、請求項２記載のロールコータの反応性ホットメルト接着剤の硬化防止方法によれば、幅が小さい板材に応じて、第１の堰部材と第２の堰部材との間隔を狭めて使用する際、反応性ホットメルト接着剤を洗浄する洗浄用ホットメルトを第１の洗浄用ホットメルト溜と、第２の洗浄用ホットメルト溜と、にそれぞれ貯留しているため、反応性ホットメルト接着剤溜より漏れ出る反応性ホットメルト接着剤の硬化を防止して、ロールコータ使用後の反応性ホットメルト接着剤の洗浄に要する手間を軽減することができる。
【実施例】
【０００８】
本発明の一実施例のロールコータ及びロールコータの反応性ホットメルト接着剤の硬化防止方法を図面を参照して説明する。
図１乃至図６において、１は、板材２に反応性ホットメルト接着剤３を塗布する塗布ロール４を有するロールコータ である。
【０００９】
５は塗布ロール４に並設するドクターロールで、６は、図２乃至図４に示すように、塗布ロール４及びドクターロール５の一方側に当接して位置し、塗布ロール４及びドクターロール５の一方側からの漏れを防ぐ一方側堰部材（一方側塞き止め部材）で、７は、塗布ロール４及びドクターロール５の他方側に当接して位置し、塗布ロール４及びドクターロール５の他方側からの漏れを防ぐ他方側堰部材（他方側塞き止め部材）である。
一方側堰部材６は、図３及び図４に示すように、ロールコータ本体１０に取付部材１１を介して取り付けられる。他方側堰部材７は、一方側堰部材６と同様な形状で、取付部材１２を介して取り付けられている。
【００１０】
そして、図２に示す幅が広い板材２に対しては、塗布ロール４、ドクターロール５、一方側堰部材６、他方側堰部材７によって形成される空間に図示しない供給手段により反応性ホットメルト接着剤３を供給して、該空間に反応性ホットメルト接着剤３を貯留しながら、板材２に反応性ホットメルト接着剤３を塗布することができる。
反応性ホットメルト接着剤３は、空気に触れる（例えば、空気中の水分）と接着剤中の成分が反応して硬化するもので、例えば、日立化成ポリマー株式会社製  商品名ハイボンＹＲ１１７である。
【００１１】
また、図５に示す符号８は、一方側堰部材６に対向し、塗布ロール４とドクターロール５に当接し、漏れを防ぐ移動自在な第１の堰部材で、９は、他方側堰部材７に対向し、塗布ロール４とドクターロール５に当接し、漏れを防ぐ移動自在な第２の堰部材で、第２の堰部材９は第１の堰部材８と同形状となっている。第１の堰部材８（第２の堰部材９）は、塗布ロール４の外周に当接する円弧状の当接部位８１（当接部位９１）とドクターロール５の外周に当接する円弧状の当接部位８２（当接部位９２）とを有する。
【００１２】
第１の堰部材８及び第２の堰部材９は、図５に示すような「幅が狭い板材２」に反応性ホットメルト接着剤３を塗布する場合に使用される。かかる場合、反応性ホットメルト接着剤３は、塗布ロール４、ドクターロール５、第１の堰部材８、第２の堰部材９により形成される反応性ホットメルト接着剤溜Ａに貯留されることとなる。
そして、反応性ホットメルト接着剤３を洗浄する洗浄用ホットメルト２０を、塗布ロール４、ドクターロール５、第１の堰部材８、一方側堰部材６により形成される第１の洗浄用ホットメルト溜Ｂと、塗布ロール４、ドクターロール５、第２の堰部材９、他方側堰部材７により形成される第２の洗浄用ホットメルト溜Ｃと、にそれぞれ貯留されることとなる。
なお、洗浄用ホットメルト２０は硬化した反応性ホットメルト接着剤３を溶解するもので、例えば、クライベリット社製  商品名クリニングコンパウド７６１−８である。
【００１３】
従って、上述したロールコータ（又は、ロールコータ１の反応性ホットメルト接着剤の硬化防止方法）によれば、供給ロール４０により幅が狭い板材２が供給されると、図１に示すように、反応性ホットメルト接着剤３が塗布された塗布ロール４が板材２に当接して、板材２に反応性ホットメルト接着剤３が塗布される。なお、塗布ロール４、ドクターロール５、供給ロール４０は、それぞれ図示しない駆動手段により回転し、その回転方向は、図１に示す矢印方向となっている。
また、塗布ロール４、ドクターロール５が回転することより、シール性が十分でないため、反応性ホットメルト接着剤溜Ａより反応性ホットメルト接着剤３が第１の洗浄用ホットメルト溜Ｂ及び第２の洗浄用ホットメルト溜Ｃに漏れが生じ、第１の洗浄用ホットメルト溜Ｂ及び第２の洗浄用ホットメルト溜Ｃ内の洗浄用ホットメルト２０により反応性ホットメルト接着剤３の硬化が防止される。
その結果、ロールコータ１の使用後、塗布ロール４、ドクターロール５等に付着した反応性ホットメルト接着剤３の洗浄に要する手間を軽減することができる。
【図面の簡単な説明】
【００１４】
【図１】図１は、本発明の一実施例のロールコータの概略的断面図である。
【図２】図２は、図１のロールコータの概略的平面図である。
【図３】図３は、図２の一部を拡大して示す概略的一部拡大図である。
【図４】図４は、図３の一方側堰部材の取り付け状態を示す概略的斜視図である。
【図５】図５は、図２と異なる幅の狭い板材に反応性ホットメルト接着剤を塗布する状態の概略的平面図である。
【図６】図６は、図５の第１の堰部材を示す概略的斜視図である。
【符号の説明】
【００１５】
１  ・・・・・ロールコータ
２  ・・・・・板材
３  ・・・・・反応性ホットメルト接着剤
４  ・・・・・塗布ロール
５  ・・・・・ドクターロール
６  ・・・・・一方側堰部材
７  ・・・・・他方側堰部材
８  ・・・・・第１の堰部材
９  ・・・・・第２の堰部材
２０  ・・・・・洗浄用ホットメルト
Ａ  ・・・・・反応性ホットメルト接着剤
Ｂ  ・・・・・第１の洗浄用ホットメルト溜
Ｃ  ・・・・・第２の洗浄用ホットメルト溜
【図１】
2006167537.tif 000003
【図２】
2006167537.tif 000004
【図３】
2006167537.tif 000005
【図４】
2006167537.tif 000006
【図５】
2006167537.tif 000007
【図６】
2006167537.tif 000008